【事件の表示】
　平成９年特許願第１８０３９４号「メカニカルシール」拒絶査定に対する審判事件［平成１１年１月２２日出願公開、特開平１１−１３８９４］について、次のとおり審決する。
【結　論】
　本件審判の請求は、成り立たない。
【理　由】
１．手続の経緯
　本願は、平成９年６月１９日の出願であって、平成１１年９月２４日付けで拒絶査定がされ、これに対し、平成１１年１１月４日に当該拒絶査定に対する審判請求がされるとともに平成１１年１２月６日付けで手続補正がされ、その後、平成１１年１２月６付け手続補正は補正の却下の決定をもって却下され、当審において通知した拒絶理由に対して平成１４年９月９日付けで手続補正がされ、さらに通知した最後の拒絶理由に対して平成１４年１２月２７日付けで手続補正がされたものである。
　
２．平成１４年１２月２７日付けの手続補正についての補正の却下の決定
　
［補正の却下の決定の結論］
　平成１４年１２月２７日付けの手続補正を却下する。
　
［理　由］
（１）補正の内容
　平成１４年１２月２７日付け手続補正（以下、「本件補正」という。）は、次の補正事項ａ〜ｄを内容とするものである。
　
（1-1）補正事項ａ
　明細書（平成１４年９月９日付け手続補正後のもの。以下同じ。）の特許請求の範囲の請求項１の記載、
「【請求項１】
　ハウジングに取付けられる取付けフランジと、
　回転軸に対して相対回転可能に設けられ、内周面の軸方向に、かつ、軸芯を挟んで相対向する二箇所にキー溝が形成された静止密封環と、
　この静止密封環を嵌合保持する静止リテーナと、
　上記回転軸に一体回転可能に取付けられ、上記静止密封環に摺接する回転密封環と、
　この回転密封環を嵌合保持する回転リテーナと、
　上記静止リテーナと取付けフランジとの間に介在し、溶接部を有し、上記静止密封環を上記回転密封環に押し付けるベローズシールと、
　基端部が上記取付けフランジに固定され、先端部が上記静止密封環の内周に導入されたバッフルと、
　上記先端部の外周に設けられ、上記各キー溝と軸方向に相対移動可能に係合して上記静止密封環の回転を規制するキーと
　を備えることを特徴とするメカニカルシール。」を、
「【請求項１】
　ハウジングに取付けられる取付けフランジと、
　回転軸に対して相対回転可能に設けられ、内周面の軸方向に、かつ、軸芯を挟んで相対向する二箇所にキー溝が形成されたカーボン製の静止密封環と、
　この静止密封環を嵌合保持する静止リテーナと、
　上記回転軸に一体回転可能に取付けられ、上記静止密封環に摺接する回転密封環と、
　この回転密封環を嵌合保持する回転リテーナと、
　波形断面に成形された金属円盤の内外周を互いに溶接したものであって、上記静止リテーナと取付けフランジとの間に介在し、上記静止密封環を上記回転密封環に押し付けるベローズシールと、
　基端部が上記取付けフランジに固定され、先端部が上記静止密封環の内周に導入されたバッフルと、
　上記先端部の外周に設けられ、上記各キー溝と軸方向に相対移動可能に嵌合して上記静止密封環の回転を規制するキーと
　を備えることを特徴とするメカニカルシール。」とする。
　
（1-2）補正事項ｂ
　明細書の段落【０００９】の記載中、
「軸芯を挟んで相対向する二箇所にキー溝が形成された静止密封環」とあるのを、「軸芯を挟んで相対向する二箇所にキー溝が形成されたカーボン製の静止密封環」とし、
「上記静止リテーナと取付けフランジとの間に介在し、溶接部を有し、上記静止密封環を上記回転密封環に押し付けるベローズシールと」とあるのを、
「波形断面に成形された金属円盤の内外周を互いに溶接したものであって、上記静止リテーナと取付けフランジとの間に介在し、上記静止密封環を上記回転密封環に押し付けるベローズシールと」とし、
「各キー溝と軸方向に相対移動可能に係合して上記静止密封環の回転を規制するキー」とあるのを、
「上記各キー溝と軸方向に相対移動可能に嵌合して上記静止密封環の回転を規制するキー」とし、
「キーが係合する」を「キーが嵌合する」とする。
　
（1-3）補正事項ｃ
　明細書の段落【００１９】の記載中、「ベローズシール９４」、「静止リテーナ９５」及び「静止密封環９１」とあるのを、「ベローズシール６」、「静止リテーナ４」及び「静止密封環１」とする。
　
（1-4）補正事項ｄ
　明細書の段落【００２３】の記載中、「キーが係合する」を「キーが嵌合する」とする。
　
（２）補正の目的の適否
　上記補正事項ａは、請求項１に記載された静止密封環の材質を「カーボン製」に特定し、同じく、ベローズシールの「溶接部を有し」を「波形断面に成形された金属円盤の内外周を互いに溶接したもの」に、キーとキー溝の「係合」を「嵌合」に、それぞれ特定するものであって、請求項１に記載した発明を特定する事項を限定するものに該当し、その補正前の請求項１に記載された発明とその補正後の請求項１に記載される発明とは産業上の利用分野及び解決しようとする課題が同一であると認める。
　補正事項ｂ及びｄは、補正事項ａの補正に伴い、特許請求の範囲の記載と発明の詳細な説明の欄の記載との整合をとるものであって、明りょうでない記載の釈明を目的とするものに該当する。
　また、補正事項ｃは図面に対応する符号を正しい番号に訂正するものであり、誤記の訂正を目的とするものに該当する。
　したがって、本件補正は特許法第１７条の２第４項の規定に適合する。
　
（３）独立特許要件について
　そこで、本件補正後の特許請求の範囲の請求項１に記載された発明（以下、「補正発明」という。）が、特許出願の際独立して特許を受けることができるものかどうかについて検討する。
　
（3-1）補正発明
　補正発明は、本件補正後の明細書の特許請求の範囲の請求項１に記載された事項により特定されるものであって、その記載事項は上記（1-1）欄の補正後のものとして記載したとおりである。
　
（3-2）引用刊行物
　当審における平成１４年１０月２２日付け拒絶理由通知（最後）において、刊行物Ａ及びＥとして引用した、本願出願前に日本国内において頒布された刊行物である次の刊行物１及び２には、概略以下の技術的事項が記載されている。
　
　１：実願平２−７４３９号(実開平３−９８３７５号)のマイクロフィルム
　２：特公昭４４−９４０１号公報
　
（3-2-1）刊行物１：実願平２−７４３９号(実開平３−９８３７５号)のマイクロフィルム
　「メカニカルシール」に関し、図面と共に以下の記載がある。
　
[イ]「【産業上の利用分野】
　本考案は、例えば熱溶融性流体、スラリー液あるいは高粘度液等の密封液の軸封に適したメカニカルシールに関する。」（３頁１０〜１３行）
[ロ]「【従来の技術】
　従来、この種のメカニカルシールにおいては、第５図に示すように、機体１の内径部に挿通された回転軸２を軸封するに場合、機体１側に締付けネジ３を介して装着されたシールカバー４に固定してなるバッフルスリーブ５を回転軸２の外周に配置し、このバッフルスリーブ５の外周に金属ベローズ６でバックアップされたリテーナ７とメイティングリング８からなる静止側シール部を組付ける。
　そして、この静止側シール部のメイティングリング８には、回転軸２側にスリーブ９を介してノックピン１０及びＯリング１１により組付けられたシールリング１２からなる回転側シール部が、金属ベローズ６の弾性を利用して摺接し得るようになっている。」（３頁１４行〜４頁１４行）
[ハ]「【考案が解決しようとする課題】
　しかしながら、上記した従来構造のメカニカルシールにあっては、特に金属ベローズ６の先端部６ａで静止側シール部の廻り止めによるトルク伝達を行なっているために、ベローズ６に負荷が加わり、破損し易いばかりでなく、ベローズ素材としてステンレス等を使用するとヘタリ易く、運転中に面圧不足になって洩れることがある。
………（中略）………
　また、リテーナ７と摺動材であるメイティングリング８とは、焼嵌めによる一体構造になっているために、メイティングリング８が破損した場合に、交換不能になることが多い。
　さらにまた、このような従来構造のものには、ベローズ６の振れ止めがないために、長期使用中におけるベローズ６の振れによる金属疲労で破損することがあるといった問題があった。」（５頁５行〜７頁２行）
[ニ]「【考案の目的】
　本考案は、上記の事情のもとになされたもので、その目的とするところは、摺動面の面圧不足または過多、及びベローズの破損を確実に防止し、かつ摺動材を簡単に修理交換することができるようにしたメカニカルシールを提供することにある。」（７頁３〜８行）
[ホ]「【課題を解決するための手段】
　上記した課題を解決するために、本考案は、機体の内径部に挿通された回転軸の外周に、該機体側の装着されたシールカバーに固定してなるバッフルスリーブを配置し、このバッフルスリーブの外周に金属ベローズでバックアップされたリテーナとメイティングリングとからなる静止側シール部を組付ける一方、この静止側シール部のメイティングリングに、前記回転軸側に組付けられたシールリングからなる回転側シール部を摺接させるとともに、前記金属ベローズの内側にコイルスプリングを介装してなるメカニカルシールにおいて、前記静止側シール部のリテーナとメイティングリングを互いに分離可能に組付け、かつ前記バッフルスリーブの先端部を前記メイティングリングの内径部側に臨ませるとともに、このメイティングリングの内径部に形成した切欠溝に、前記バッフルスリーブの先端部に形成した前記リテーナの内径よりも高い立上り部を係合させて廻り止め可能にする一方、前記バッフルスリーブの外周とリテーナの内周との間にダンパを設けてなる構成としたものである。
　この場合、前記バッフルスリーブの先端部に立上り部を形成してメイティングリングの内径部に形成した切欠溝に係合させることにより廻り止めを行なうには、バッフルスリーブの先端部に起立片をカシメにより一体に起立形成して立上り部とするか、バッフルスリーブの先端部にキー溝を設け、このキー溝にキー部材を植設して立上り部とするか、またはバッフルスリーブの先端部をＬ字形フランジ状に形成して立上り部とし、この立上り部の反摺動面側に前記メイティングリングの内径部に形成した切欠溝に係合するノックピンを植設したりすることが好ましい。」（７頁９行〜９頁１２行）
[ヘ]「以下、本考案を第１図から第４図に示す各実施例を参照しながら詳細に説明する。なお、本考案に係る図示の実施例において、第５図及び第６図に示す従来のメカニカルシールと構成が重複する部分は同一符号を用いて説明する。
　第１図及び第２図は、本考案に係るメカニカルシールの第１実施例を示すものである。
　すなわち、第１図及び第２図に示すように、第６図に示すような金属ベローズ６の内側にコイルスプリング１４を介装してなるメカニカルシールにおいて、静止側シール部を構成するリテーナ７とメイティングリング８とをＯリング等のパッキン１５を介して互いに分離可能に組付ける。
　一方、バッフルスリーブ５の先端部５ａを、前記メイティングリング８の内径部８ａ側に臨ませ、かつ、このバッフルスリーブ５の先端部５ａにカシメにより一体に起立形成した起立片５１からなる立上り部５０を、前記メイティングリング８の内径部８ａに形成した切欠溝８１に係合させて廻り止めを可能にする。」（１１頁５行〜１２頁９行）
[ト]「第３図は、本考案に係る第２実施例を示すものであり、前記バッフルスリーブ５の先端部６ａに立上り部５０を形成するにおいて、バッフルスリーブ５の先端部５ａにキー溝５２を設け、このキー溝５２にキー部材５３を植設してなる構成としたものである。」（１３頁８〜１３行）
　
　上記摘記事項（特に[ホ]、[ト]）及び図面（特に第３図）の記載からみて、バッフルスリーブ５の先端部に形成する立上り部５０がキー部材５３である場合、キー部材５３はメイティングリング８の内径部８ａに形成した切欠溝８１とも「キーとキー溝」との関係で嵌合しているものと解される。（なお、キーとキー溝との関係については、必要あれば下記刊行物６を参照。）
　以上を総合すると、刊行物１には、次の発明（以下、「引用発明」という。）が開示されているものと認める。
　
[引用発明]
「機体１に取付けられるシールカバー４と、
　回転軸２に対して相対回転可能に設けられ、内周面の軸方向に切欠溝８１が形成されたメイティングリング８と、
　このメイティングリング８を内部に嵌合保持するリテーナ７と、
　回転軸２に一体回転可能に取付けられ、メイティングリング８に摺接するシールリング１２と、
　このシールリング１２を内部に嵌合保持するスリーブ９と、
　リテーナ７とシールカバー４との間に介在し、メイティングリング８をシールリング１２に押し付ける金属ベローズ６と、
　基端部がシールカバー４に固定され、先端部がメイティングリングの内部に導入されたにバッフルスリーブ５と、
　バッフルスリーブ５の先端部の外周に設けられ、メイティングリング８の切欠溝８１と軸方向に相対移動可能に嵌合してメイティングリング８の回転を規制するキー部材５３と
　を備えたメカニカルシール。」
　
（3-2-2）刊行物２：特公昭４４−９４０１号公報
　「メカニカルシール用密着部材」に関し、図面と共に次の記載がある。
[チ]「静止密封環１８は典型的にはカーボンリングで、ケース１６内に軸方向滑動可能に取付けられる。密封環１８はその外周に直径上に対向する溝１９，２０を有し、該溝は密封環をケース内で回転しないように保持すると共に軸方向に可動ならしめるためケース１６に固着された突起２１，２２を収容する。」（２頁３欄２３〜２９行）
　
　上記摘記事項及び図面の記載からみて、刊行物２には、メカニカルシール用密封部材において、静止密封環の外周に「直径上に対応する溝」を有し、相手部材に設けられた突起を収容して回転しないように保持させるものが開示されているものと認める。
　
（3-3）他の周知技術
　次の刊行物３〜６（いずれも本願出願前に頒布された刊行物である。）には、以下の技術が開示されている。
　
・刊行物３：特開昭５４−１４８９５０号公報
　「溶接ベローズ及びその製造方法」に関し、図面と共に次の記載がある。
[リ]「内径部及び外径部を有する環状の多数の金属板（１，２，３；・・ｎ−１，ｎ）を順次隣接する各２個ずつの対の金属板（１，２；３，４；・・；ｎ−１，ｎ）がそれぞれの内径部において相互に外接すると共に第二枚目以降の隣接する各２個ずつの対の金属板（２，３；４，５；・・；ｎ−２，ｎ−１）がそれぞれの外径部において相互に外接するように積み重ね、内径部及び外径部の各接触面を溶接によってそれぞれ相互に強固に一体に接合して成ることを特徴とする溶接ベローズ。」（特許請求の範囲第１項）
[ヌ]「従来、溶接ベローズは、添附図面の第１図に示すように、ベローズを構成する内径部及び外径部を有する環状の多数の金属板（１，２，３；・・ｎ−−，ｎ）を、まず、治具Ａ，Ｂの内部に、隣接する各２個ずつの対の金属板（１，２；３，４；・・；ｎ−１，ｎ）がそれぞれ相互に外接するように積み重ね、金属板１と金属板２との内径部の重なり部、金属板３と金属板４との内径部の重なり部、以下同様の要領で金属板ｎ−１と金属板ｎとの内径部の重なり部の間にそれぞれスペーサａを介装し、各重なり部の周縁部をプラズマ溶接法などによって溶接し、この相互に溶接された各対の板を第２図に示すように、治具Ｃ，Ｄの内部に順次積み重ね、内径部と同様の要領によって、金属板１の外径部、金属板２と金属板３との外径部の重なり部、金属板４と金属板５との外径部の重なり部、以下同様の要領で金属板ｎ−２と金属板ｎ−１との外径部の重なり部と金属板ｎの外径部との間にそれぞれスペーサｂを介装し、各重なり部の周縁をプラズマ溶接法などによって溶接して製造されていた。」（２頁上段左欄１０行〜右欄１０行）
　
・刊行物４：特開昭５６−１０８６２号公報
　「溶接ベローズ」に関し、図面と共に次の記載がある。
[ル]「波形成形された金属ディスクからなる多数のベローズコアを、互に隣接するベローズコアの内周部および外周部を交互に溶接して、連続的に結合した溶接ベローズコアにおいて、中心軸方向の中央部分に位置する前記ベローズコアのスパン長および板厚の少なくとも一方を、両端部分に位置するベローズコアのそれよりも小にしたことを特徴とする溶接ベローズ。」（特許請求の範囲）
[ヲ]「従来、大きな伸縮を吸収し、かつ気密性を保持するものとして溶接ベローズが知られている。第１図はこの溶接ベローズの軸方向に沿った断面図、第２図はそのベローズコアの拡大断面図である。
　溶接ベローズは、第２図に示す如き板厚ｔおよびスパン長Ｓ（＊１）が互いに等しい波形成形された金属ディスクからなる多数のベローズコア１を組み合わせ、その互に隣接するものの内周端面と外周端面を交互に溶接ビード２Ａ、２Ｂで溶接して、連続的に必要山数継ぎ合わせることにより、構成され、その両端には取付金具３Ａ、３Ｂが接合されている。」（１頁下段左欄１７〜右欄８行。＊１印は、都合によりバーを省略して表記した。）
　
・刊行物５：実願昭５６−１７８６２５号（実開昭５８−８４４５４号）の
　　　　　　マイクロフィルム
　「溶接ベローズ」に関し、図面と共に次の記載がある。
[ワ]「内外周縁間の中間スパン部が波付けされた複数個の金属環が重ね合わされ、順次の金属環が連続するように隣接金属環の内外周縁を互に溶接してなる溶接ベローズ」（１頁４〜７行）
[カ]「従来の溶接ベローズは、第１図および第２図に示すように、薄い金属板をドーナツ状に打抜いて得られる平板状金属環１の内外周縁２，３間の中間スパン部４にプレス加工によって半径方向に波付けし、かように波付けした複数個の金属環１を重ね合わせ、順次の金属環が連続するように金属環の内外周縁２，３を互に精密に溶接して溶接ビード５，６によって連結されて形成されている。」（１頁１５行〜２頁２行）
　
　上記刊行物３〜５の記載からみて、「溶接ベローズ」が本願出願前周知のものであったものと解することができる。
　
・刊行物６：佐藤賢弥（＊２）「はめあい設計心得ノート」（１９９５年３月３０日）日刊工業新聞社、Ｐ．２６−２７（＊２印は都合により略字で表記した。）
　刊行物６には、キーとキー溝との関係がはめあいであることを説明する記載がある。
　
（3-3）対比・判断　
　補正発明と上記引用発明とを対比すると、それぞれの機能に照らして、後者の「機体１」は、前者の「ハウジング」に相当し、以下同様に、「シールカバー４」は「取付けフランジ」に、「回転軸２」は「回転軸」に、「切欠溝８１」は「キー溝」に、「メイティングリング８」は「静止密封環」に、「リテーナ７」は「静止リテーナ」に、「シールリング１２」は「回転密封環」に、「スリーブ９」は「回転リテーナ」に、「金属ベローズ６」は「ベローズシール」に、「バッフルスリーブ５」は「バッフル」に、「キー部材５３」は「キー」に、それぞれ相当するから、両者には、次の一致点、相違点が存する。
　
[一致点]
「ハウジングに取付けられる取付けフランジと、回転軸に対して相対回転可能に設けられ、内周面の軸方向にキー溝が形成された静止密封環と、この静止密封環を嵌合保持する静止リテーナと、上記回転軸に一体回転可能に取付けられ、上記静止密封環に摺接する回転密封環と、この回転密封環を嵌合保持する回転リテーナと、上記静止リテーナと取付けフランジとの間に介在し、上記静止密封環を上記回転密封環に押し付けるベローズシールと、基端部が上記取付けフランジに固定され、先端部が上記静止密封環の内周に導入されたバッフルと、上記先端部の外周に設けられ、上記キー溝と軸方向に相対移動可能に嵌合して上記静止密封環の回転を規制するキーとを備えてなるメカニカルシール」
　
[相違点１]
　補正発明においては、静止密封環に形成されたキー溝が「軸芯を挟んで相対向する二箇所」に設けられているのに対し、引用発明におけるキー溝である「切欠溝８１」においてはその点が不明である点
　
[相違点２]
　補正発明の静止密封環が「カーボン製」であるのに対し、引用発明における静止密封環である「メイティングリング８」の素材は不明である点
　
[相違点３]
　補正発明においては、ベローズシールが「波形断面に成形された金属円盤の内外周を互いに溶接したもの」であるのに対し、引用発明のベローズがそのようなものかどうか不明である点。
　
　まず、上記相違点１について検討するに、刊行物１に開示されるメカニカルシールは、メイティングリングとバッフルスリーブとを切欠溝と突起部との組み合わせによって嵌合し、金属ベローズの回り止めを行うものであるが、そのような回り止めを複数箇所に設けることは必要に応じて適宜採用されていることにすぎない。
　例えば、上記刊行物２には、静止密封環の外周ではあるものの、「直径上に対応する溝」すなわち軸心を挟んで相対向する二箇所に溝が形成され、相手部材に設けられた突起を収容して回転しないように保持させてなるメカニカルシール用密封部材が開示されている（摘記記載[チ]参照）。
　そして、この種の密封装置の多くは上下対称に構成されており、半裁断面図で示される場合が多いことを考慮すると、半裁断面図で示された刊行物１のメカニカルシールにおいて、図示されていない部分も対称である構造を想定することが、当業者にとって格別の創意を要することとはいえない。
　したがって、引用発明において、より回り止めを確実にしようとして、メイティングリングにキー溝を二箇所に設けるようなことは、当業者であれば容易になし得ることとするのが相当である。
　
　次に相違点２についてみると、刊行物２に静止密封環が典型的にはカーボンリングであることが記載されているように（摘記記載[チ]参照）、引用発明におけるメイティングリングをカーボン製とすることは当業者が必要に応じて適宜採用し得ることにすぎない。
　
　また、相違点３について検討するに、「波形断面に成形された金属円盤の内外周を互いに溶接したもの」からなるベローズシール、すなわちいわゆる溶接ベローズは、この出願前周知のものにすぎない（上記刊行物３〜５参照）。
　そして、刊行物１に、金属ベローズとして溶接ベローズを採用することを阻害する記載等があるとも認められず、引用発明における金属ベローズを溶接ベローズとすることが当業者にとって格別困難なこととは認められない。
　
　してみると、引用発明において、上記相違点１〜３に係る補正発明の構成を採用することは、いずれも当業者が容易になし得ることとするのが相当である。
　
　したがって、補正発明は、刊行物１及び２に記載された発明及び本願出願前周知の技術に基づいて当業者が容易に発明をすることができたものと認められ、特許法第２９条第２項の規定により、特許出願の際独立して特許を受けることができないものである。　
　
（４）むすび
　以上のとおりであるから、本件補正は、特許法第１７条の２第５項で準用する同法第１２６条４項の規定に適合しないものであり、特許法第１５９条第１項で読み替えて準用する特許法第５３条第１項の規定により却下されるべきものである。
　
３．本願発明について
（１）本願発明
　平成１４年１２月２７日付けの手続補正は上記のとおり却下されたので、本願の請求項１〜３に係る発明（以下、請求項１に係る発明を「本願発明」という。）は、平成１４年９月９日付け手続補正後の明細書及び図面の記載からみて、その特許請求の範囲の請求項１〜３に記載された事項により特定される以下のとおりのものである。
　
【請求項１】
「ハウジングに取付けられる取付けフランジと、
　回転軸に対して相対回転可能に設けられ、内周面の軸方向に、かつ、軸芯を挟んで相対向する二箇所にキー溝が形成された静止密封環と、
　この静止密封環を嵌合保持する静止リテーナと、
　上記回転軸に一体回転可能に取付けられ、上記静止密封環に摺接する回転密封環と、
　この回転密封環を嵌合保持する回転リテーナと、
　上記静止リテーナと取付けフランジとの間に介在し、溶接部を有し、上記静止密封環を上記回転密封環に押し付けるベローズシールと、
　基端部が上記取付けフランジに固定され、先端部が上記静止密封環の内周に導入されたバッフルと、
　上記先端部の外周に設けられ、上記各キー溝と軸方向に相対移動可能に係合して上記静止密封環の回転を規制するキーと
　を備えることを特徴とするメカニカルシール。」
　
【請求項２】
「上記静止密封環及び回転密封環が、静止リテーナ及び回転リテーナに対してそれぞれすきま嵌めされているとともに、両者間の隙間が、膨張黒鉛ガスケットで封止されている請求項１記載のメカニカルシール。」
　
【請求項３】
「上記静止密封環及び回転密封環が、静止リテーナ及び回転リテーナに対してそれぞれすきま嵌めされているとともに、両者間の隙間が、Ｏリングで封止されている請求項１記載のメカニカルシール。」
　
（２）引用刊行物
　当審で通知した平成１４年１０月２２日付けの拒絶の理由に引用された、刊行物Ａ、Ｅ及びその記載事項は前記「２．（３）（３−２）」に、刊行物１及び２として記載したとおりである。
　
（３）対比・判断
　本願発明は、前記「２．」で検討した補正発明から、補正事項ａに係る、静止密封環の材質が「カーボン製」である点、ベローズシールが「波形断面に成形された金属円盤の内外周を互いに溶接したもの」である点及びキーとキー溝が嵌合するものである点の構成を省いたものである。
　そうすると、本願発明の構成要件を全て含み、さらに他の構成要件を付加したものに相当する補正発明が、前記「２．（３）」に記載したとおり、刊行物１及び２に記載された発明及び周知技術に基づいて、当業者が容易に発明をすることができたものであるから、本願発明も、同様の理由により、刊行物１及び２に記載された発明及び本願出願前周知の技術に基づいて、当業者が容易に発明をすることができたものである。
　
（４）むすび
　以上のとおりであるから、本願発明は、刊行物１及び２に記載された発明及び本願出願前周知の技術に基づいて当業者が容易に発明をすることができたものと認められ、特許法第２９条第２項の規定により特許を受けることができない。
　したがって、請求項２及び３に係る発明について検討するまでもなく、本願は拒絶すべきものである。                
　よって、結論のとおり審決する。